(57)【特許請求の範囲】
【請求項１】
複数のＳＩＰ電話機と、ＳＩＰ交換機とが、ネットワークを介して接続されるＳＩＰ交換システムにおいて、
前記ＳＩＰ交換機は、
第１のＳＩＰ電話機から第２のＳＩＰ電話機への着信を、第３のＳＩＰ電話機に転送する手段と、
前記第１のＳＩＰ電話機と前記第３のＳＩＰ電話機との間に第１の呼による通話を確立する手段と、
前記第１の呼による通話を確立した後で、前記第１のＳＩＰ電話機と前記第３のＳＩＰ電話機との間に第２の呼による通話を確立する手段と、
前記第２の呼による通話を確立した後で、前記第１の呼による通話を終了させる手段と、
前記第１のＳＩＰ電話機に前記第３のＳＩＰ電話機の番号を通知する手段と、を有し、
前記第１のＳＩＰ電話機は、
前記ＳＩＰ交換機から通知された前記第３のＳＩＰ電話機の番号を表示する表示手段を有する、
ことを特徴とするＳＩＰ交換システム。
【請求項２】
請求項１に記載のＳＩＰ交換システムにおいて、前記ＳＩＰ交換機は、前記第３のＳＩＰ電話機に前記第１のＳＩＰ電話機の番号を通知する手段を有し、前記第３のＳＩＰ電話機は、前記ＳＩＰ交換機から通知された前記第１のＳＩＰ電話機の番号を表示する手段を有することを特徴とするＳＩＰ交換システム。
【請求項３】
複数のＳＩＰ電話機と、ＳＩＰ交換機とが、ネットワークを介して接続されるＳＩＰ交換システムにおいて、
前記ＳＩＰ交換機は、
第１のＳＩＰ電話機と第２のＳＩＰ電話機との間に第１の呼による通話を確立した後で第２の呼による通話を確立して前記第１の呼による通話を終了させる手段と、
前記第１のＳＩＰ電話機に前記第２のＳＩＰ電話機の番号を通知し、かつ、前記第２のＳＩＰ電話機に前記第１のＳＩＰ電話機の番号を通知する手段とを有し、
前記第１のＳＩＰ電話機は、
前記ＳＩＰ交換機から通知された前記第２のＳＩＰ電話機の番号を表示する手段を有し、
前記第２のＳＩＰ電話機は、
前記ＳＩＰ交換機から通知された前記第１のＳＩＰ電話機の番号を表示する手段を有する、ことを特徴とするＳＩＰ交換システム。
【請求項４】
複数のＳＩＰ電話機とネットワークを介して接続されるＳＩＰ交換機において、
第１のＳＩＰ電話機からＩＮＶＩＴＥメッセージを受信し、第２のＳＩＰ電話機へＩＮＶＩＴＥメッセージを送信することで、前記第１のＳＩＰ電話機と前記第２のＳＩＰ電話機との間に第１の呼による通話を確立させる手段と、
前記第１の呼による通話の確立後、前記第１のＳＩＰ電話機および前記第２のＳＩＰ電話機それぞれにＩＮＶＩＴＥメッセージを送信することで、前記第１のＳＩＰ電話機と前記第２のＳＩP電話機との間に第２の呼による通話を確立させる手段と、
前記第１のＳＩＰ電話機および前記第２のＳＩＰ電話機それぞれから、ＢＹＥメッセージを受信することで、前記第１の呼による通話を終了させる手段と、
前記第１のＳＩＰ電話機に前記第２のＳＩＰ電話機の番号を通知し、かつ、前記第２のＳＩＰ電話機に前記第１のＳＩＰ電話機の番号を通知する手段と、
を有することを特徴とするＳＩＰ交換機。
【請求項５】
請求項４に記載のＳＩＰ交換機において、前記第１のＳＩＰ電話機が第３のＳＩＰ電話機へ送信したＩＮＶＩＴＥメッセージが、前記第２のＳＩＰ電話機へ転送されたことを検出する手段を有し、前記検出する手段により前記転送が検出された場合に、前記第２の呼を確立させる手段を実行することを特徴とするＳＩＰ交換機。
【発明の詳細な説明】
【技術分野】
【０００１】
本発明はＳＩＰ(Session Initiation Protocol)呼制御を用いてＳＩＰ電話機相互間の通話を行うＳＩＰ交換システムに係り、特に不在転送や代理応答で着信先が変更されても、通話中の相手電話番号をＳＩＰ電話機に表示可能なＳＩＰ交換システムに関する。
【背景技術】
【０００２】
従来のＳＩＰ交換システムは、ＳＩＰ交換機のＳＩＰ呼制御により、ＳＩＰ電話機相互間のダイヤル発信、着信、通話、相手先電話番号表示などが実行されている。
【０００３】
ＳＩＰ電話機相互間の通話には、発信先ＳＩＰ電話機から目標とする着信先ＳＩＰ電話機にダイヤル発信（着信先ＳＩＰ電話機の電話番号）しても、着信先ＳＩＰ電話機で予め「不在転送」設定がなされていると、不在転送先のＳＩＰ電話機に着信されてしまうことになる。
【０００４】
また、着信先ＳＩＰ電話機に着信して着信音が鳴動し続けても、着信先ＳＩＰ電話機の利用者が応答できない、または応答しない場合に、他のＳＩＰ電話機の利用者が「特番」を操作して「代理応答」にし、着信に応答することにより、代理応答先のＳＩＰ電話機に着信されてしまうことになる。
【０００５】
従来のＳＩＰ交換システムについて説明する。図６に従来のＳＩＰ交換システムの構成図を示す。図６において、ＳＩＰ交換システム５０は、例えばＳＩＰ交換機５１と、ＳＩＰ電話機を構成するＳＩＰ端末５２ａ、ＳＩＰ端末５２ｂおよびＳＩＰ端末５２ｃとから構成され、ＳＩＰ交換機５１とＳＩＰ電話機が回線網ＮＴに接続されている。
【０００６】
ＳＩＰ交換機５１は、ＳＩＰ端末５２ａ、ＳＩＰ端末５２ｂおよびＳＩＰ端末５２ｃをＳＩＰ呼制御しており、例えばＳＩＰ端末５２ａ（電話番号「１０００番」）から電話番号「２０００番」にダイヤル発信がなされると、ＳＩＰ端末５２ｂに着信（着信音鳴動）され、ＳＩＰ端末５２ｂが着信に応答すると、ＳＩＰ端末５２ａとＳＩＰ端末５２ｂの間で通話が可能になる。
【０００７】
この通話状態において、ＳＩＰ端末５２ａの表示器には、相手番号「２０００番」が表示され、ＳＩＰ端末５２ｂの表示器には、相手番号「１０００番」が表示されることになり、通話相手と電話番号が一致している。
【０００８】
次に、ＳＩＰ端末５２ａからＳＩＰ端末５２ｂにダイヤル発信し、ＳＩＰ端末５２ｂが「不在転送」に設定され、転送先がＳＩＰ端末５２ｃ（電話番号「３０００番」）になっている場合、またはＳＩＰ端末５２ｂへの着信をＳＩＰ端末５２ｃで「代理応答」する場合についてのシーケンス動作を説明する。
【０００９】
図７に従来のＳＩＰ交換システムの一実施の形態不在転送動作シーケンス図を示す。なお、ＳＩＰ端末５２ａ、ＳＩＰ端末５２ｂおよびＳＩＰ端末５２ｃをそれぞれＳＩＰａ（１０００番）、ＳＩＰｂ（２０００番）およびＳＩＰｃ（３０００番）で表す。
【００１０】
図７において、ＳＩＰ交換機５１には、ＳＩＰｂ（２０００番）から、予め「３０００番」（ＳＩＰｃ）への「不在転送」設定中にある。
【００１１】
ＳＩＰａ（１０００番）からＳＩＰｂ（２０００番）へダイヤル発信すると、ＳＩＰａ（１０００番）の表示には、相手番号「２０００番」が表示され、発呼メッセージ「INVITE（2000番へ）」がＳＩＰ交換機５１に送信されると、相手番号「３０００番」に転送するため、ＳＩＰ交換機５１は、発呼メッセージ「INVITE（3000番へ）」をＳＩＰｃ（３０００番）に送信する。
【００１２】
発呼メッセージ「INVITE（3000番へ）」を受信したＳＩＰｃ（３０００番）は、一時受付応答メッセージ「100Try」をＳＩＰ交換機５１に返送し、ＳＩＰ交換機５１から一時受付応答メッセージ「100Try」がＳＩＰａ（１０００番）に送信される。
【００１３】
続いて、ＳＩＰｃ（３０００番）は、着信鳴動開始メッセージ「180Ring」をＳＩＰ交換機５１を介してＳＩＰａ（１０００番）に送信すると、ＳＩＰｃ（３０００番）で呼出し音（着信音）が鳴動し、ＳＩＰａ（１０００番）でＲＢＴ（リングバックトーン）が鳴動する。
【００１４】
呼出し音（着信音）を聞いてＳＩＰｃ（３０００番）が着信に応答すると、ＳＩＰｃ（３０００番）は、着信応答メッセージ「200OK」をＳＩＰ交換機５１を介してＳＩＰａ（１０００番）に送信する。
【００１５】
着信応答メッセージ「200OK」を受信すると、ＳＩＰａ（１０００番）は、確認応答メッセージ「ACK」をＳＩＰ交換機５１を介してＳＩＰｃ（３０００番）に送信する。
【００１６】
この状態で、ＳＩＰａ（１０００番）とＳＩＰｃ（３０００番）は、通話状態となり、ＳＩＰａ（１０００番）の表示器には、相手番号「２０００番」が、ＳＩＰｃ（３０００番）の表示器には、相手番号「１０００番」が表示されることになる。
【００１７】
従って、ＳＩＰｃ（３０００番）の表示器には、通話相手と同じ相手番号「１０００番」が表示されるが、ＳＩＰａ（１０００番）の表示器には、通話相手（ＳＩＰｃ（３０００番））と異なる相手番号「２０００番」（ＳＩＰｂ（２０００番））が表示されてしまう。
【００１８】
図８に従来のＳＩＰ交換システムの一実施の形態代理応答動作シーケンス図を示す。なお、ＳＩＰ端末５２ａ、ＳＩＰ端末５２ｂおよびＳＩＰ端末５２ｃをそれぞれＳＩＰａ（１０００番）、ＳＩＰｂ（２０００番）およびＳＩＰｃ（３０００番）で表す。
【００１９】
図８において、ＳＩＰａ（１０００番）からＳＩＰｂ（２０００番）へダイヤル発信し、ＳＩＰａ（１０００番）の表示器に相手番号「２０００番」が表示され、ＳＩＰｂ（２０００番）で呼出し（着信音）が鳴動し、ＳＩＰａ（１０００番）でＲＢＴ（リングバックトーン）が鳴動する状態から、ＳＩＰｃ（３０００番）で「代理応答」のために、例えば特番「ＹＺ番」をダイヤル発信すると、ＳＩＰｃ（３０００番）は、発呼メッセージ「INVITE（特番へ）」をＳＩＰ交換機５１に送信すると、ＳＩＰ交換機５１から着信応答メッセージ「200OK」をＳＩＰａ（１０００番）に送信する。
【００２０】
ＳＩＰａ（１０００番）は、確認応答メッセージ「ACK」をＳＩＰ交換機５１に送信すると、ＳＩＰ交換機５１は、応答メッセージ「200OK」をＳＩＰｃ（３０００番）に送信する。
【００２１】
続いて、ＳＩＰｃ（３０００番）は、確認応答メッセージ「ACK」をＳＩＰ交換機５１に送信することで、ＳＩＰａ（１０００番）とＳＩＰｃ（３０００番）が通話を開始する。
【００２２】
一方、ＳＩＰ交換機５１は、着信キャンセルメッセージ「CANCEL」をＳＩＰｂ（２０００番）に送信し、ＳＩＰｂ（２０００番）から応答メッセージ「200OK」およびメッセージ「487ReqCancel」を受けた後に、確認応答メッセージ「ACK」をＳＩＰｂ（２０００番）に送信して、ＳＩＰｂ（２０００番）が呼出し停止（着信音停止）を行う。
【００２３】
この状態で、ＳＩＰａ（１０００番）とＳＩＰｃ（３０００番）は、通話状態となり、ＳＩＰａ（１０００番）の表示器には、相手番号「２０００番」が、ＳＩＰｃ（３０００番）の表示器には、「特番」が表示されることになる。
【００２４】
従って、ＳＩＰｃ（３０００番）の表示器には、通話相手（ＳＩＰａ（１０００番））と異なる相手番号「特番ＹＺ番」が表示され、ＳＩＰａ（１０００番）の表示器には、通話相手（ＳＩＰｃ（３０００番））と異なる相手番号「２０００番」（ＳＩＰｂ（２０００番））が表示されてしまう。
【００２５】
また、従来の電話送信システムは、「特許文献１」に開示されているように、「代理応答」ができるように構成されたものが知られている。
【特許文献１】特開平２００２−１５２２２４号公報（図７に記載された着信代理応答シーケンスを参照）
【発明の開示】
【発明が解決しようとする課題】
【００２６】
従来のＳＩＰ交換システムは、ＳＩＰ呼制御を用いてＳＩＰ電話機相互間の通話を実行しているが、通話が成立するまでのＳＩＰ呼シーケンスには、最終的な相手番号を通知するためのメッセージが通話開始時のままであり、不在転送や代理応答のように、着信に応答する相手が変更されても、相手番号表示が書き換えられることがなく、通話相手と相手番号が異なるため、不自然になって、サービスの低下を招く課題がある。
【００２７】
また、「特許文献１」に開示された電話送信システムも代理応答が可能であるが、代理応答に伴なって変更された着信相手の電話番号が変更されず、不自然になることが予想される（相手番号の表示について記載されていない）。
【００２８】
この発明はこのような課題を解決するためになされたもので、その目的は不在転送や代理応答で着信相手が変更されても、最終的に通話をしている相手と相手番号の表示が一致するＳＩＰ交換システムを送信することにある。
【課題を解決するための手段】
【００２９】
前記課題を解決するためこの発明に係るＳＩＰ交換システムは、複数のＳＩＰ電話機と、ＳＩＰ交換機とが、ネットワークを介して接続されるＳＩＰ交換システムにおいて、前記ＳＩＰ交換機が、第１のＳＩＰ電話機から第２のＳＩＰ電話機への着信を、第３のＳＩＰ電話機に転送する手段と、前記第１のＳＩＰ電話機と前記第３のＳＩＰ電話機との間に第１の呼による通話を確立する手段と、前記第１の呼による通話を確立した後で、前記第１のＳＩＰ電話機と前記第３のＳＩＰ電話機との間に第２の呼による通話を確立する手段と、 前記第２の呼による通話を確立した後で、前記第１の呼による通話を終了させる手段と、  前記第１のＳＩＰ電話機に前記第３のＳＩＰ電話機の番号を通知する手段と、を有し、前記第１のＳＩＰ電話機が、前記ＳＩＰ交換機から通知された前記第３のＳＩＰ電話機の番号を表示する表示手段を有する、ことを特徴とする。
【００３０】
この発明に係るＳＩＰ交換システムにおいて、ＳＩＰ交換機は、ＳＩＰ電話機相互間のＳＩＰ呼シーケンスの通話が確立した場合、継続してＳＩＰ呼リプレースシーケンスを行い、不在転送や代理応答時の発呼側および応答側の電話番号を通知する制御を実行する制御手段を備えたので、ＳＩＰ電話機相互間の通話確立後に、ＳＩＰ呼リプレースシーケンスを継続して、不在転送や代理応答があっても、通話相手と同じ相手番号を通知することができる。
【００３１】
また、上記発明に係るＳＩＰ交換システムにおいて、前記ＳＩＰ交換機は、前記第３のＳＩＰ電話機に前記第１のＳＩＰ電話機の番号を通知する手段を有し、前記第３のＳＩＰ電話機は、前記ＳＩＰ交換機から通知された前記第１のＳＩＰ電話機の番号を表示する手段を有することを特徴とする。
【００３２】
この発明に係る制御手段は、不在転送や代理応答で応答したことを検出し、電話番号通知のＳＩＰ呼リプレースのシーケンス動作を制御するシーケンス手段を備えたので、通話が成立した時点で、通話相手の電話番号を通知するためのシーケンス動作を実行し、通話双方のＳＩＰ電話機に、相手番号のメッセージを通知することができる。
【００３３】
さらに、この発明に係るＳＩＰ交換システムは、複数のＳＩＰ電話機と、ＳＩＰ交換機とが、ネットワークを介して接続されるＳＩＰ交換システムにおいて、前記ＳＩＰ交換機が、第１のＳＩＰ電話機と第２のＳＩＰ電話機との間に第１の呼による通話を確立した後で第２の呼による通話を確立して前記第１の呼による通話を終了させる手段と、前記第１のＳＩＰ電話機に前記第２のＳＩＰ電話機の番号を通知し、かつ、前記第２のＳＩＰ電話機に前記第１のＳＩＰ電話機の番号を通知する手段とを有し、前記第１のＳＩＰ電話機が、 前記ＳＩＰ交換機から通知された前記第２のＳＩＰ電話機の番号を表示する手段を有し、前記第２のＳＩＰ電話機が、前記ＳＩＰ交換機から通知された前記第１のＳＩＰ電話機の番号を表示する手段を有する、ことを特徴とする。
【００３４】
この発明に係るＳＩＰ交換機は、ＳＩＰ呼シーケンスおよびＳＩＰ呼リプレースシーケンスのシーケンスプログラムを記憶する記憶手段を備えたので、ＳＩＰ呼シーケンスで不在転送や代理応答の通話状態にし、ＳＩＰ呼リプレースシーケンスで通話状態の相手番号を通知することができる。
【００３５】
また、この発明に係るＳＩＰ交換機は、複数のＳＩＰ電話機とネットワークを介して接続されるＳＩＰ交換機において、第１のＳＩＰ電話機からＩＮＶＩＴＥメッセージを受信し、第２のＳＩＰ電話機へＩＮＶＩＴＥメッセージを送信することで、前記第１のＳＩＰ電話機と前記第２のＳＩＰ電話機との間に第１の呼による通話を確立させる手段と、前記第１の呼による通話の確立後、前記第１のＳＩＰ電話機および前記第２のＳＩＰ電話機それぞれにＩＮＶＩＴＥメッセージを送信することで、前記第１のＳＩＰ電話機と前記第２のＳＩP電話機との間に第２の呼による通話を確立させる手段と、前記第１のＳＩＰ電話機および前記第２のＳＩＰ電話機それぞれから、ＢＹＥメッセージを受信することで、前記第１の呼による通話を終了させる手段と、前記第１のＳＩＰ電話機に前記第２のＳＩＰ電話機の番号を通知し、かつ、前記第２のＳＩＰ電話機に前記第１のＳＩＰ電話機の番号を通知する手段と、を有することを特徴とする。
【００３６】
この発明に係る発呼側のＳＩＰ電話機は、不在転送時に、ＳＩＰ交換機から送信される電話番号通知に基づいて、ダイヤル発信先の電話番号から不在転送先の電話番号に切替えて表示するので、着信応答した相手がダイヤル発信した相手と異なっても、電話番号の表示から相手を認識することができる。
【００３７】
さらに、この発明に係るＳＩＰ交換機は、前記ＳＩＰ交換機の発明において、前記第１のＳＩＰ電話機が第３のＳＩＰ電話機へ送信したＩＮＶＩＴＥメッセージが、前記第２のＳＩＰ電話機へ転送されたことを検出する手段を有し、前記検出する手段により前記転送が検出された場合に、前記第２の呼を確立させる手段を実行することを特徴とする。
【００３８】
この発明に係る発呼側のＳＩＰ電話機は、代理応答時に、ＳＩＰ交換機から送信される電話番号通知に基づいて、ダイヤル発信先の電話番号から代理応答先の電話番号に切替えて表示するとともに、代理応答側のＳＩＰ電話機は、ＳＩＰ交換機から送信される電話番号通知に基づいて、特番から発呼側の電話番号に切替えて表示するので、発呼者は、着信応答した相手がダイヤル発信した相手と異なっても、電話番号の表示から相手を認識するとともに、代理応答した着呼者は、電話番号の表示が特番から発呼者の電話番号となって、相手を認識することができる。
【発明の効果】
【００３９】
この発明に係るＳＩＰ交換システムにおいて、ＳＩＰ交換機は、ＳＩＰ電話機相互間のＳＩＰ呼シーケンスの通話が確立した場合、継続してＳＩＰ呼リプレースシーケンスを行い、不在転送や代理応答時の発呼側および応答側の電話番号を通知する制御を実行する制御手段を備えたので、ＳＩＰ電話機相互間の通話確立後に、ＳＩＰ呼リプレースシーケンスを継続して、不在転送や代理応答があっても、通話相手と同じ相手番号を通知することができ、通話の相手と相手番号表示が一致して、使い勝手の良さをアピールすることができる。
【００４０】
また、この発明に係る制御手段は、不在転送や代理応答で応答したことを検出し、電話番号通知のＳＩＰ呼リプレースのシーケンス動作を制御するシーケンス手段を備えたので、通話が成立した時点で、通話相手の電話番号を通知するためのシーケンス動作を実行し、通話双方のＳＩＰ電話機に、相手番号のメッセージを通知することができ、ＳＩＰ電話機相互に、最終的な通話相手の電話番号を表示させることができる。
【００４１】
さらに、この発明に係るＳＩＰ交換機は、ＳＩＰ呼シーケンスおよびＳＩＰ呼リプレースシーケンスのシーケンスプログラムを記憶する記憶手段を備えたので、ＳＩＰ呼シーケンスで不在転送や代理応答の通話状態にし、ＳＩＰ呼リプレースシーケンスで通話状態の相手番号を通知することができ、通話の相手と電話番号の表示を一致させることができる。
【００４２】
また、この発明に係る発呼側のＳＩＰ電話機は、不在転送時に、ＳＩＰ交換機から送信される電話番号通知に基づいて、ダイヤル発信先の電話番号から不在転送先の電話番号に切替えて表示するので、着信応答した相手がダイヤル発信した相手と異なっても、電話番号の表示から相手を認識することができ、不必要なミス判断を未然に避けることができる。
【００４３】
さらに、この発明に係る発呼側のＳＩＰ電話機は、代理応答時に、ＳＩＰ交換機から送信される電話番号通知に基づいて、ダイヤル発信先の電話番号から代理応答先の電話番号に切替えて表示するとともに、代理応答側のＳＩＰ電話機は、ＳＩＰ交換機から送信される電話番号通知に基づいて、特番から発呼側の電話番号に切替えて表示するので、発呼者は、着信応答した相手がダイヤル発信した相手と異なっても、電話番号の表示から相手を認識するとともに、代理応答した着呼者は、電話番号の表示が特番から発呼者の電話番号となって、相手を認識することができ、不必要なミス判断を未然に避けることができる。
【発明を実施するための最良の形態】
【００４４】
以下、この発明の実施の形態を添付図面に基づいて説明する。図１はこの発明に係るＳＩＰ交換システムの一実施の形態全体ブロック構成図である。図１において、ＳＩＰ交換システム１は、システム全体をＳＩＰ(Session Initiation Protocol)呼制御およびＳＩＰ呼リプレース制御で動作させるＳＩＰ交換機２と、ＳＩＰ電話機３ａ〜３ｎと、ＳＩＰ交換機２およびＳＩＰ電話機３ａ〜３ｎが接続されるインターネット網や広域ＬＡＮ網などの回線網ＮＴとから構築されている。なお、ＳＩＰ電話機３ａの電話番号を「１０００番」、ＳＩＰ電話機３ｂの電話番号を「２０００番」、ＳＩＰ電話機３ｃの電話番号を「３０００番」とする。
【００４５】
ＳＩＰ交換機２は、制御手段４および記憶手段５を備え、ＳＩＰ呼制御でＳＩＰ電話機３ａ〜３ｎの相互間の通話制御を実行するとともに、ＳＩＰ呼リプレース制御で最終的に通話しているＳＩＰ電話機３ａ〜３ｎ相互間の電話番号を表示させる制御を実行する。
【００４６】
制御手段４は、ＳＩＰ電話機３ａ〜３ｎ相互間のＳＩＰ呼シーケンスの通話が確立した場合、継続してＳＩＰ呼リプレースシーケンスを行い、不在転送や代理応答時の発呼側および応答側の電話番号を通知する制御を実行する。
【００４７】
また、制御手段４は、ＳＩＰ電話機（例えば、ＳＩＰ電話機３ｂ「２０００番」）が予め「不在転送」の転送先（ＳＩＰ電話機３ｃ「３０００番」）を設定すると、「２０００番」への着信があると、直ちに不在転送先（ＳＩＰ電話機３ｃ「３０００番」）に着信させるように制御する。
【００４８】
さらに、制御手段４は、任意のＳＩＰ電話機（例えば、不在転送の設定がされていない状態のＳＩＰ電話機３ｂ）に呼出し（着信鳴動）があり、他のＳＩＰ電話機（例えば、ＳＩＰ電話機３ｃ）から代理応答のための特番「ＹＺ番」を認識した場合には、ＳＩＰ電話機３ｂの呼出しを停止し、ＳＩＰ電話機３ｃを呼出し（着信鳴動）するように制御する。
【００４９】
また、制御手段４は、不在転送や代理応答でＳＩＰ電話機（例えば、ＳＩＰ電話機３ｃ）が応答し、ダイヤル発信したＳＩＰ電話機（例えば、ＳＩＰ電話機３ａ「１０００番」）との通話を検出すると、直ちにＳＩＰ呼リプレースシーケンスを実行し、それぞれＳＩＰ電話機３ａに通話相手「３０００番」、ＳＩＰ電話機３ｃに通話相手「１０００番」を通知し、ＳＩＰ電話機３ａの表示器に「通話相手：３０００番」およびＳＩＰ電話機３ｃの表示器に「通話相手：１０００番」を表示させる制御を実行するシーケンス手段６を備える。
【００５０】
このように、この発明に係る制御手段４は、不在転送や代理応答で応答したことを検出し、電話番号通知のＳＩＰ呼リプレースのシーケンス動作を制御するシーケンス手段５を備えたので、通話が成立した時点で、通話相手の電話番号を通知するためのシーケンス動作を実行し、通話双方のＳＩＰ電話機（例えば、ＳＩＰ電話機３ａとＳＩＰ電話機３ｃ）に、相手番号（例えば、「相手番号：３０００番」と「相手番号：１０００番」）のメッセージを通知することができ、ＳＩＰ電話機相互に、最終的な通話相手の電話番号を表示させることができる。
【００５１】
記憶手段５は、フラッシュメモリやＥＥＰＲＯＭなどのメモリで構成し、ＳＩＰ呼シーケンスやＳＩＰ呼リプレースシーケンスのシーケンスプログラムを格納し、制御手段４の指示により、各プログラムを制御手段４に送信する。
【００５２】
また、記憶手段５は、ＳＩＰ電話機３ａ〜３ｎに対応付けて電話番号「１０００番」〜「××××番」までを記憶し、制御手段４からの指令により、ＳＩＰ電話機３ａ〜３ｎのダイヤル発信、着信、不在転送の設定、代理応答などのイベント毎に電話番号を格納する。
【００５３】
このように、この発明に係るＳＩＰ交換機２は、ＳＩＰ呼シーケンスおよびＳＩＰ呼リプレースシーケンスのシーケンスプログラムを記憶する記憶手段５を備えたので、ＳＩＰ呼シーケンスで不在転送や代理応答の通話状態にし、ＳＩＰ呼リプレースシーケンスで通話状態の相手番号を通知することができ、通話の相手と電話番号の表示を一致させることができる。
【００５４】
ＳＩＰ電話機３ａ〜３ｎは、それぞれ電話番号「１０００番」〜「××××番」を付与され、制御手段４のＳＩＰ呼シーケンスやＳＩＰ呼リプレースシーケンスの制御により、電話機相互間の通話や、通話相手の電話番号（相手番号）を表示する表示器７ａ〜７ｎを備える。
【００５５】
発呼側のＳＩＰ電話機（例えば、ＳＩＰ電話機３ａ）は、不在転送時に、ＳＩＰ交換機２から送信される電話番号通知に基づいて、ダイヤル発信先（例えば、ＳＩＰ電話機３ｂ）の電話番号（「２０００番」）から不在転送先（例えば、ＳＩＰ電話機３ｃ）の電話番号（「３０００番」）に切替えて表示するので、着信応答した相手がダイヤル発信した相手と異なっても、電話番号の表示から相手を認識することができる。
【００５６】
また、発呼側のＳＩＰ電話機（例えば、発呼側ＳＩＰ電話機３ａ）は、代理応答時に、ＳＩＰ交換機２から送信される電話番号通知に基づいて、ダイヤル発信先（例えば、ＳＩＰ電話機３ｂ）の電話番号（「２０００番」）から代理応答先（例えば、ＳＩＰ電話機３ｃ）の電話番号（「３０００番」）に切替えて表示するとともに、代理応答側のＳＩＰ電話機（例えば、ＳＩＰ電話機３ｃ）は、ＳＩＰ交換機２から送信される電話番号通知に基づいて、特番（例えば、「ＹＺ番」）から発呼側（ＳＩＰ電話機３ａ）の電話番号（「１０００番」）に切替えて表示するので、発呼者は、着信応答した相手がダイヤル発信した相手と異なっても、電話番号（「３０００番」）の表示から相手（ＳＩＰ電話機３ｃ）を認識するとともに、代理応答した着呼者は、電話番号の表示が特番から発呼者（ＳＩＰ電話機３ａ）の電話番号（「１０００番」）となって、相手を認識することができる。
【００５７】
従って、ＳＩＰ電話機３ａは、不在転送や代理応答により着信応答する相手がＳＩＰ電話機３ｂからＳＩＰ電話機３ｃに変わっていても、通話相手であるＳＩＰ電話機３ｃの電話番号「３０００番」が表示され、着信応答したＳＩＰ電話機３ｃにも、通話相手であるＳＩＰ電話機３ａの電話番号「１０００番」が表示されるので、通話相手を認識することができ、不必要なミス判断を未然に避けることができる。
【００５８】
続いて、ＳＩＰ端末３ａからＳＩＰ端末３ｂにダイヤル発信し、ＳＩＰ端末３ｂが「不在転送」になっており、転送先がＳＩＰ端末３ｃになっている場合、またはＳＩＰ端末３ｂへの着信をＳＩＰ端末３ｃで「代理応答」する場合についてのシーケンス動作を説明する。
【００５９】
図２はこの発明に係るＳＩＰ交換システムの一実施の形態不在転送動作シーケンス図である。なお、ＳＩＰ電話機３ａ、ＳＩＰ電話機３ｂおよびＳＩＰ電話機３ｃをそれぞれＳＩＰ1（１０００番）、ＳＩＰ2（２０００番）およびＳＩＰ3（３０００番）で表す。
【００６０】
図２において、ＳＩＰ交換機２には、ＳＩＰ2（２０００番）から、予め「３０００番」（ＳＩＰ3）への「不在転送」設定中にある。
【００６１】
ＳＩＰ1（１０００番）からＳＩＰ2（２０００番）へダイヤル発信すると、ＳＩＰ1（１０００番）の表示器７ａには、「相手番号：２０００番」が表示され、発呼メッセージ「INVITE（2000番へ）」がＳＩＰ交換機２に送信されると、相手番号「３０００番」に転送するため、ＳＩＰ交換機２は、発呼メッセージ「INVITE（3000番へ）」をＳＩＰ3（３０００番）に送信する。
【００６２】
発呼メッセージ「INVITE（3000番へ）」を受信したＳＩＰ3（３０００番）は、一時受付応答メッセージ「100Try」をＳＩＰ交換機２に返送し、ＳＩＰ交換機２から一時受付応答メッセージ「100Try」がＳＩＰ1（１０００番）に送信される。
【００６３】
続いて、ＳＩＰ3（３０００番）は、着信鳴動開始メッセージ「180Ring」をＳＩＰ交換機２を介してＳＩＰ1（１０００番）に送信すると、ＳＩＰ3（３０００番）で呼出し音（着信音）が鳴動し、ＳＩＰ1（１０００番）でＲＢＴ（リングバックトーン）が鳴動する。
【００６４】
呼出し音（着信音）を聞いてＳＩＰ3（３０００番）が着信に応答すると、ＳＩＰ3（３０００番）は、着信応答メッセージ「200OK」をＳＩＰ交換機２を介してＳＩＰ1（１０００番）に送信する。
【００６５】
着信応答メッセージ「200OK」を受信すると、ＳＩＰ1（１０００番）は、確認応答メッセージ「ACK」をＳＩＰ交換機２を介してＳＩＰ3（３０００番）に送信する。
【００６６】
この状態で、ＳＩＰ1（１０００番）とＳＩＰ3（３０００番）は、通話状態となり、ＳＩＰ1（１０００番）の表示器７ａには、「相手番号：２０００番」が、ＳＩＰ3（３０００番）の表示器７ｃには、「相手番号：１０００番」が表示されることになる。
【００６７】
ＳＩＰ1（１０００番）とＳＩＰ3（３０００番）の通話が確立すると、ＳＩＰ交換機２は、ＳＩＰリプレースのシーケンスを開始し、ＳＩＰ1（１０００番）とＳＩＰ3（３０００番）の双方に、メッセージ「INVITE（replaces）」を送信する。
【００６８】
メッセージ「INVITE（replaces）」を受信したＳＩＰ1（１０００番）およびＳＩＰ3（３０００番）は、応答メッセージ「200OK」をＳＩＰ交換機２に送信する。
【００６９】
次に、ＳＩＰ交換機２は、確認応答メッセージ「ACK」をＳＩＰ1（１０００番）およびＳＩＰ3（３０００番）に送信すると、ＳＩＰ1（１０００番）およびＳＩＰ3（３０００番）は、終了メッセージ「BYE」をＳＩＰ交換機２に送信する。
【００７０】
終了メッセージ「BYE」を受信したＳＩＰ交換機２は、応答メッセージ「200OK」をＳＩＰ1（１０００番）およびＳＩＰ3（３０００番）に送信し、ＳＩＰリプレースのシーケンスを終了する。
【００７１】
ＳＩＰリプレースのシーケンスの間に、ＩＰ交換機２は、番号情報「３０００番」をＳＩＰ1（１０００番）に通知するとともに、番号情報「１０００番」をＳＩＰ3（３０００番）に通知する。
【００７２】
番号情報「３０００番」を受信したＳＩＰ1（１０００番）は、図１に示す表示器７ａに、「相手番号：２０００番」から「相手番号：３０００番」に切替えて表示する。
【００７３】
一方、番号情報「１０００番」を受信したＳＩＰ3（３０００番）は、図１に示す表示器７ｃに、「相手番号：１０００番」を表示する。ただし、ＳＩＰ3（３０００番）の表示器７ｃは、ＳＩＰリプレースのシーケンス動作の前に、既に「相手番号：１０００番」になっている。
【００７４】
上記のＳＩＰリプレースのシーケンスによって、相手番号情報の交換を行いＳＩＰ1（１０００番）およびＳＩＰ3（３０００番）は、相互通話を実行するとともに、ＳＩＰ1（１０００番）の表示器に「相手番号：３０００番」、ＳＩＰ3（３０００番）の表示器に「相手番号：１０００番」を表示して、通話の相手と相手の電話番号表示を一致させることができる。
【００７５】
図３はこの発明に係るＳＩＰ交換システムの一実施の形態代理応答動作シーケンス図である。なお、ＳＩＰ電話機３ａ、ＳＩＰ電話機３ｂおよびＳＩＰ電話機３ｃをそれぞれＳＩＰ1（１０００番）、ＳＩＰ2（２０００番）およびＳＩＰ3（３０００番）で表す。
【００７６】
図３において、ＳＩＰ1（１０００番）からＳＩＰ2（２０００番）へダイヤル発信し、ＳＩＰ1（１０００番）の表示器７ａに「相手番号：２０００番」が表示され、ＳＩＰ2（２０００番）で呼出し（着信音）が鳴動し、ＳＩＰ1（１０００番）でＲＢＴ（リングバックトーン）が鳴動する状態から、ＳＩＰ3（３０００番）で「代理応答」のために、特番「ＹＺ番」をダイヤル発信して、ＳＩＰ3（３０００番）は、発呼メッセージ「INVITE（特番へ）」をＳＩＰ交換機２に送信すると、ＳＩＰ交換機２から着信応答メッセージ「200OK」をＳＩＰ1（１０００番）に送信する。
【００７７】
ＳＩＰ1（１０００番）は、確認応答メッセージ「ACK」をＳＩＰ交換機２に送信すると、ＳＩＰ交換機２は、応答メッセージ「200OK」をＳＩＰ3（３０００番）に送信する。
【００７８】
続いて、ＳＩＰ3（３０００番）は、確認応答メッセージ「ACK」をＳＩＰ交換機２に送信することで、ＳＩＰ1（１０００番）とＳＩＰ3（３０００番）が通話を開始する。
【００７９】
一方、ＳＩＰ交換機２は、着信キャンセルメッセージ「CANCEL」をＳＩＰ2（２０００番）に送信し、ＳＩＰ2（２０００番）から応答メッセージ「200OK」およびメッセージ「487ReqCancel」を受けた後に、確認応答メッセージ「ACK」をＳＩＰ2（２０００番）に送信して、ＳＩＰ2（２０００番）が呼出し停止（着信音停止）を行う。
【００８０】
この状態で、ＳＩＰ1（１０００番）とＳＩＰ3（３０００番）は、通話状態となり、ＳＩＰ1（１０００番）の表示器７ａには、「相手番号：２０００番」が、ＳＩＰ3（３０００番）の表示器７ｃには、「特番（ＹＺ）」が表示されることになる。
【００８１】
ＳＩＰ1（１０００番）とＳＩＰ3（３０００番）の通話が確立すると、ＳＩＰ交換機２は、ＳＩＰリプレースのシーケンスを開始し、ＳＩＰ1（１０００番）とＳＩＰ3（３０００番）の双方に、メッセージ「INVITE（replaces）」を送信する。
【００８２】
メッセージ「INVITE（replaces）」を受信したＳＩＰ1（１０００番）およびＳＩＰ3（３０００番）は、応答メッセージ「200OK」をＳＩＰ交換機２に送信する。
【００８３】
次に、ＳＩＰ交換機２は、確認応答メッセージ「ACK」をＳＩＰ1（１０００番）およびＳＩＰ3（３０００番）に送信すると、ＳＩＰ1（１０００番）およびＳＩＰ3（３０００番）は、終了メッセージ「BYE」をＳＩＰ交換機２に送信する。
【００８４】
終了メッセージ「BYE」を受信したＳＩＰ交換機２は、応答メッセージ「200OK」をＳＩＰ1（１０００番）およびＳＩＰ3（３０００番）に送信し、ＳＩＰリプレースのシーケンスを終了する。
【００８５】
ＳＩＰリプレースのシーケンスの間に、ＩＰ交換機２は、番号情報「３０００番」をＳＩＰ1（１０００番）に通知するとともに、番号情報「１０００番」をＳＩＰ3（３０００番）に通知する。
【００８６】
番号情報「３０００番」を受信したＳＩＰ1（１０００番）は、図１に示す表示器７ａに、「相手番号：２０００番」から「相手番号：３０００番」に切替えて表示する。
【００８７】
一方、番号情報「１０００番」を受信したＳＩＰ3（３０００番）は、図１に示す表示器７ｃに、「相手番号：ＹＺ番」から「相手番号：１０００番」に切替えて表示する。
【００８８】
上記のＳＩＰリプレースのシーケンスによって、相手番号情報の変換を行いＳＩＰ1（１０００番）およびＳＩＰ3（３０００番）は、相互通話を実行するとともに、ＳＩＰ1（１０００番）の表示器に「相手番号：３０００番」、ＳＩＰ3（３０００番）の表示器に「相手番号：１０００番」を表示して、通話の相手と相手の電話番号表示を一致させることができる。
【００８９】
図４はこの発明に係る不在転送時の一実施の形態相手番号表示遷移図である。なお、ＳＩＰ電話機３ａ（１０００番）からＳＩＰ電話機３ｂ（２０００番）にダイヤル発信した場合に、ＳＩＰ電話機３ｂから予めＳＩＰ電話機３ｃ（３０００番）に不在転送の設定がなされている場合のＳＩＰ電話機３ａの表示器７ａおよびＳＩＰ電話機３ｃの表示器７ｃの相手番号表示を表す。
【００９０】
図４において、ＳＩＰ呼制御のシーケンスでは、表示器７ａは、「相手番号：２０００番」の表示であり、表示器７ｃは、「相手番号：１０００番」の表示になる。
【００９１】
ＳＩＰ呼リプレースのシーケンスになると、表示器７ａは、「相手番号：２０００番」の表示から「相手番号：３０００番」の表示に変化する。一方、表示器７ｃは、「相手番号：１０００番」の表示のままで、変化しない。
【００９２】
図５はこの発明に係る代理応答時の一実施の形態相手番号表示遷移図である。なお、ＳＩＰ電話機３ａ（１０００番）からＳＩＰ電話機３ｂ（２０００番）にダイヤル発信してＳＩＰ電話機３ｂ（２０００番）に着信（鳴動）がある状態から、ＳＩＰ電話機３ｃから特番を操作して代理応答した場合のＳＩＰ電話機３ａの表示器７ａおよびＳＩＰ電話機３ｃの表示器７ｃの相手番号表示を表す。
【００９３】
図５において、ＳＩＰ呼制御のシーケンスでは、表示器７ａは、「相手番号：２０００番」の表示であり、表示器７ｃは、「相手番号：ＹＺ番」の表示になる。
【００９４】
ＳＩＰ呼リプレースのシーケンスになると、表示器７ａは、「相手番号：２０００番」の表示から「相手番号：３０００番」の表示に変化する。一方、表示器７ｃは、「相手番号：ＹＺ番」の表示から「相手番号：１０００番」の表示に変化する。
【００９５】
以上説明したように、この発明に係るＳＩＰ交換システム１において、ＳＩＰ交換機２は、ＳＩＰ電話機相互間（ＳＩＰ電話機３ａとＳＩＰ電話機３ｃ）のＳＩＰ呼シーケンスの通話が確立した場合、継続してＳＩＰ呼リプレースシーケンスを行い、不在転送や代理応答時の発呼側（ＳＩＰ電話機）および応答側（ＳＩＰ電話機３ｃ）の電話番号を通知する制御を実行する制御手段４を備えたので、ＳＩＰ電話機相互間の通話確立後に、ＳＩＰ呼リプレースシーケンスを継続して、不在転送や代理応答があっても、通話相手と同じ相手番号を通知することができ、通話の相手と相手番号表示が一致して、使い勝手の良さをアピールすることができる。
【産業上の利用可能性】
【００９６】
この発明に係るＳＩＰ交換システムは、不在転送や代理応答で着信相手が変更されても、最終的に通話をしている相手と相手番号の表示を一致させるものであり、ＳＩＰ呼制御を利用するあらゆるＳＩＰ交換システムに適用することができる。
【図面の簡単な説明】
【００９７】
【図１】この発明に係るＳＩＰ交換システムの一実施の形態全体ブロック構成図
【図２】この発明に係るＳＩＰ交換システムの一実施の形態不在転送動作シーケンス図
【図３】この発明に係るＳＩＰ交換システムの一実施の形態代理応答動作シーケンス図
【図４】この発明に係る不在転送時の一実施の形態相手番号表示遷移図
【図５】この発明に係る不在転送時の一実施の形態相手番号表示遷移図
【図６】従来のＳＩＰ交換システムの構成図
【図７】従来のＳＩＰ交換システムの一実施の形態不在転送動作シーケンス図
【図８】従来のＳＩＰ交換システムの一実施の形態代理応答動作シーケンス図
【符号の説明】
【００９８】
１    ＳＩＰ交換システム
２    ＳＩＰ交換機
３ａ〜３ｎ    ＳＩＰ電話機
４    制御手段
５    記憶手段
６    シーケンス手段
７ａ〜７ｎ    表示器
ＮＴ    回線網
【図１】
0004749915.tif 000002
【図２】
0004749915.tif 000003
【図３】
0004749915.tif 000004
【図４】
0004749915.tif 000005
【図５】
0004749915.tif 000006
【図６】
0004749915.tif 000007
【図７】
0004749915.tif 000008
【図８】
0004749915.tif 000009